(57)【要約】【課題】カメラが備えるモニタの表示を制御すること。【解決手段】モード設定部１０４ａは、使用者による操作を受け付けて、操作内容に応じた動作を開始する。表示制御部１０４ｂは、動作の開始に応じて、表示手段の表示を停止し、動作が開始された後に、使用者によって動作中には受け付けることができない禁止操作が行われた場合には、表示手段の表示を開始して、表示手段に動作中であることを示すメッセージを表示する。【選択図】図１
2008116824.tif 000002
【特許請求の範囲】
【請求項１】
使用者によって操作される操作手段と、
情報を表示する表示手段と、
前記操作手段を介した使用者による操作を受け付けて、操作内容に応じた動作を開始する動作開始手段と、
前記動作の開始に応じて、前記表示手段の表示を停止する停止手段と、
前記動作が開始された後に、使用者によって前記動作中には受け付けることができない禁止操作が前記操作手段を介して行われた場合には、前記表示手段の表示を開始して、前記表示手段に前記動作中であることを示すメッセージを表示する表示制御手段とを備えることを特徴とするカメラ。
【請求項２】
請求項１に記載のカメラにおいて、
前記動作は、撮像素子のクリーニングを行うための動作であることを特徴とするカメラ。
【請求項３】
請求項１または２に記載のカメラにおいて、
前記停止手段は、前記メッセージを表示してから所定時間が経過した後、または前記禁止操作が再度行われたときに、前記表示手段の表示を停止することを特徴とするカメラ。
【発明の詳細な説明】
【技術分野】
【０００１】
本発明は、被写体像を撮像して取得するカメラに関する。
【背景技術】
【０００２】
次のようなデジタルカメラが知られている。このデジタルカメラは、撮像素子の光学面に付着した異物を除去するためのクリーニングモードを備えており、クリーニングモードの動作中は、モニタにその旨を表示するものである（例えば、特許文献１）。
【０００３】
【特許文献１】特開２００５−２０３８７８号公報
【発明の開示】
【発明が解決しようとする課題】
【０００４】
しかしながら、従来のデジタルカメラは、クリーニングモード動作中は、使用者が撮影操作やメニュー操作などを行えないにも関わらず、クリーニングモード動作中である旨の表示を継続して行うため、バッテリーを無駄に消費してしまうという問題があった。
【課題を解決するための手段】
【０００５】
本発明によるカメラは、使用者による操作を受け付けて、操作内容に応じた動作を開始し、動作の開始に応じて、表示手段の表示を停止し、動作が開始された後に、使用者によって動作中には受け付けることができない禁止操作が行われた場合には、表示手段の表示を開始して、表示手段に動作中であることを示すメッセージを表示することを特徴とする。
本発明では、動作は、撮像素子のクリーニングを行うための動作であってもよい。
また、本発明では、メッセージを表示してから所定時間が経過した後、または禁止操作が再度行われたときに、表示手段の表示を停止するようにしてもよい。
【発明の効果】
【０００６】
本発明によれば、バッテリーの無駄な消費を抑えることができる。
【発明を実施するための最良の形態】
【０００７】
図１は、本実施の形態におけるカメラの一実施の形態の構成を示すブロック図である。カメラ１００は、例えば、撮影レンズがカメラ本体にレンズマウント部１０１を介して着脱可能な構成となっているデジタル一眼レフカメラである。カメラ１００は、レンズマウント部１０１と、撮像部１０２と、操作部１０３と、制御部１０４と、表示部１０５と、記録媒体格納部１０６とを備えている。
【０００８】
レンズマウント部１０１は、カメラ１００に撮影レンズをマウントするための機構である。撮像部１０２は、撮影レンズを介して入力される被写体像を撮像して画像データを取得するための種々の部材で構成される。具体的には、クイックリターンミラー、電子シャッタ、および撮像素子、例えばＣＣＤなどによって構成されている。なお、撮像部１０２を構成する各部材は、全て公知の部材であるため、説明を省略する。
【０００９】
操作部１０３は、使用者によって操作される種々のスイッチや操作ボタンを含んでいる。例えば、図２（ａ）に示すように、電源ＳＷ（スイッチ）２ａ、レリーズＳＷ２ｂ、撮影モードダイアル２ｃ、操作ボタン２ｄ、および情報表示ボタン２ｅを含んでいる。撮影モードダイアル２ｃには、図２（ｂ）に示すように、カメラが有する複数の撮影モードのそれぞれがアイコンで表されており、使用者は、このダイアルを回転させて好みの撮影モードを選択することができる。
【００１０】
制御部１０４は、ＣＰＵ、メモリ、およびその他の周辺回路で構成され、種々の処理を実行して、カメラ１００を制御するものである。本実施の形態では、制御部１０４は、モード設定部１０４ａと、表示制御部１０４ｂとを機能的に備えている。なお、制御部１０４が備える各要素が実行する処理の詳細については、後述する。
【００１１】
表示部１０５は、例えば図３に示すように、カメラ１００の背面に搭載されるＴＦＴモニタ３ａであって、制御部１０４から出力される種々の情報を表示する。例えば、カメラ１００の設定を行うためのメニュー画面、撮影した画像、または画像の撮影条件などを表示する。記録媒体格納部１０６は、例えばメモリカードスロットであり、撮影した画像を記録するための記録媒体、例えばメモリカードを格納する。そして、制御部１０４からの指示に基づいて、格納された記録媒体に画像データを記録したり、記録媒体から画像データを読み出したりする。
【００１２】
以下、制御装置１０４が備える１０４ａおよび１０４ｂの各要素について説明する。モード設定部１０４ａは、使用者による操作部１０３の操作を受け付けて、操作内容に応じた動作を開始するためにカメラの動作モードを設定する。例えば、使用者は、操作部１０３を使用して表示部１０５（ＴＦＴモニタ３ａ）上に表示されるメニュー画面を操作することで、カメラ１００の動作モードを設定することができる。本実施の形態におけるカメラ１００は、動作モードとして使用者がＣＣＤに付着したゴミを除去するためのクリーニングモードを備えている。
【００１３】
使用者は、例えば図４（ａ）に示すようなメニュー画面上でクリーニングモードに設定するための「クリーニング」を選択する。使用者が「クリーニング」を選択すると、モード設定部１０４ａは、図４（ｂ）に示すように、クリーニングをするかしないかを選択するための選択画面を表示部１０５に表示し、使用者によって「する」が選択されると、図４（ｃ）に示すように「レリーズしてください」というメッセージをＴＦＴモニタ３ａに表示する。これに対応して、使用者が操作部１０３に含まれるレリーズＳＷ２ｂを押下すると、モード設定部１０４ａは、カメラ１００のモードをクリーニングモードに設定する。
【００１４】
すなわち、モード設定部１０４ａは、撮像部１０２を制御して、カメラ１００の状態を使用者がＣＣＤを掃除できるようにするためのクリーニングモード動作を開始する。具体的には、モード設定部１０４ａは、撮像部１０２を制御して、クイックリターンミラーを撮影レンズからの撮影光路上から退避（ミラーアップ）して、電子シャッタを開くことによって、使用者がレンズマウント側からＣＣＤを掃除できるようにする。
【００１５】
また、モード設定部１０４ａは、クリーニングモードに設定している間（クリーニングモード動作中）は、クリーニング動作中には受け付けることができない禁止操作を設定して、使用者による操作部１０３を介した禁止操作を受け付けないようにカメラ１００を設定する。すなわち、モード設定部１０４ａは、画像の撮影および再生操作、メニュー操作などの、使用者がＣＣＤの掃除を行っている間は禁止すべき操作を禁止操作に設定して、使用者がこれらの禁止操作を行っても操作を無効にする。
【００１６】
なお、クリーニングモード設定時は、レンズマウント部１０１には撮影レンズはマウントされていないものとし、使用者は、レンズマウント側からブロアー等の掃除用具を用いてＣＣＤを掃除することができる。もし、クリーニングモード設定時にレンズマウント部１０１に撮影レンズがマウントされていることを検出した場合には、モード設定部１０４ａは、使用者に撮影レンズを外すように警告するようにしてもよい。
【００１７】
表示制御部１０４ｂは、モード設定部１０４ａによって動作モードが設定され、動作モードに応じた動作が開始すると、その動作に応じて表示部１０５への情報の表示を停止する。例えば、上述したように、動作モードがクリーニングモードに設定された場合には、使用者は、レンズマウント側からＣＣＤの掃除を行うため、ＴＦＴモニタ３ａへの情報の表示を必要としない。このため、表示制御部１０４ｂは、バッテリーの消費を抑えるために、表示部１０５の表示を停止する。
【００１８】
このとき、表示制御部１０４ｂは、ＴＦＴ表示回路への電力の供給を停止して回路自体を停止させることによって表示部１０５の表示を停止してもよく、ＴＦＴモニタ３ａのバックライトを消灯することによって表示部１０５の表示を停止してもよい。これによって、例えば、図３に示したように、ＴＦＴモニタ３ａは何も表示されない状態になる。なお、ＴＦＴモニタ３ａを停止しない場合には、ＴＦＴ表示回路を停止してＴＦＴモニタ３ａの表示を停止した場合と比較して４割程度電池電流が増加する。このことから、ＴＦＴモニタ３ａの表示を停止することによって、バッテリーの消費を抑えることができることがわかる。
【００１９】
このように、表示制御部１０４ｂが表示部１０５の表示を停止し、かつ使用者による操作部１０３の操作（禁止操作）を受け付けないようにした場合には、使用者はカメラ１００のバッテリーが切れている、あるいは故障していると勘違いする可能性がある。このため、本実施の形態では、使用者が操作部１０３に含まれるスイッチやボタンのいずれかを操作したときに、表示制御部１０４ｂは、表示部１０５の表示を開始して、カメラ１００がクリーニングモード動作中であることを使用者に通知するためのメッセージを表示する。例えば、図５に示すように「クリーニングミラーアップ動作中です」のようなメッセージをＴＦＴモニタ３ａに表示する。これによって、使用者が、カメラ１００のバッテリーが切れている、あるいは故障していると勘違いすることを防止することができる。
【００２０】
表示制御部１０４ｂは、ＴＦＴモニタ３ａにメッセージを表示した後、所定時間経過後、例えばメッセージの表示を開始してから５秒後に表示部１０５の表示を停止する。あるいは、使用者によって禁止操作が再度行われたときに、表示部１０５の表示を停止する。これによって、表示部１０５への表示が継続することによるバッテリーの消費を防止することができる。
【００２１】
使用者は、ＣＣＤの掃除が終了した場合には、操作部１０３に含まれる所定のスイッチ、例えば電源ＳＷ２ａを操作して、カメラ１００の電源をオフすることにより、クリーニングモードを終了することができる。使用者によってクリーニングモードの終了が指示された場合には、モード設定部１０４ａは、クリーニングモード動作を停止する。すなわち、モード設定部１０４ａは、撮像部１０２を制御して、クイックリターンミラーを撮影レンズからの撮影光路上に移動（ミラーダウン）して、電子シャッタを閉じる。また、禁止操作の設定を解除する。
【００２２】
図６は、本実施の形態におけるカメラ１００の処理を示すフローチャートである。図６に示す処理は、図４（ａ）に示すメニュー画面上で、使用者によってカメラ１００の動作モードをクリーニングモードに設定するための「クリーニング」が選択されたときに起動するプログラムとして、制御部１０４によって実行される。
【００２３】
ステップＳ１０において、モード設定部１０４ａは、図４（ｂ）に示した選択画面を表示部１０５に表示する。その後、ステップＳ２０へ進み、モード設定部１０４ａは、選択画面上で使用者によって「する」が選択されたか否かを判断する。「しない」が選択されたと判断した場合には、処理を終了する。これに対して、「する」が選択されたと判断した場合には、ステップＳ３０へ進む。ステップＳ３０では、モード設定部１０４ａは、図４（ｃ）に示したように、「レリーズしてください」というメッセージを表示部１０５に表示する。その後、ステップＳ４０へ進む。
【００２４】
ステップＳ４０では、使用者によってレリーズＳＷ２ｂが操作されたか否かを判断し、操作されたと判断した場合には、ステップＳ５０へ進む。ステップＳ５０では、モード設定部１０４ａは、上述したように、カメラ１００のモードをクリーニングモードに設定するための動作を開始する。すなわち、モード設定部１０３は、クイックリターンミラーをミラーアップし、電子シャッタを開き、操作部１０３の操作を禁止する。その後、ステップＳ６０へ進み、表示制御部１０４ｂは、表示部１０５への情報の表示を停止して、ステップＳ７０へ進む。
【００２５】
ステップＳ７０では、モード設定部１０４ａは、使用者によって操作部１０３に含まれる電源ＳＷ２ａが操作され、カメラ１００の電源がオフされたか否かを判断する。電源がオフされたと判断した場合には、ステップＳ８０へ進んで、クリーニングモードを終了する。すなわち、モード設定部１０３は、クイックリターンミラーをミラーダウンし、電子シャッタを閉じ、操作部１０３の操作を許可する。これに対して、電源がオフされていないと判断した場合には、ステップＳ９０へ進む。
【００２６】
ステップＳ９０では、表示制御部１０４ｂは、使用者によって禁止操作がされたか、すなわち操作部１０３が操作されたか否かを判断する。禁止操作がされていないと判断した場合には、ステップＳ７０へ戻る。一方、禁止操作がされたと判断した場合には、ステップＳ１００へ進む。ステップＳ１００では、表示制御部１０４ｂは、すでに表示部１０５へ図５に示したような、カメラ１００がクリーニングモード動作中であることを示すメッセージを表示中であるか否かを判断する。メッセージを表示中であると判断した場合には、後述するステップＳ１２０へ進む。これに対して、メッセージを表示中ではないと判断した場合には、ステップＳ１１０へ進む。
【００２７】
ステップＳ１１０では、表示制御部１０４ｂは、表示部１０５の表示を開始して、カメラ１００がクリーニングモード動作中であることを使用者に通知するためのメッセージを表示する。その後、ステップＳ１２０へ進み、表示制御部１０４ｂは、表示部１０５にメッセージを表示した後、所定時間が経過しているか、あるいは、使用者によって禁止操作が再度行われたか否かを判断する。否定判定した場合には、ステップＳ７０へ戻る。これに対して、肯定判断した場合には、ステップＳ１３０へ進む。ステップＳ１３０では、表示制御部１０４ｂは、表示部１０５の表示を停止し、ステップＳ７０へ戻る。
【００２８】
以上説明した本実施の形態によれば、以下のような作用効果を得ることができる。
（１）カメラ１００の動作モードがクリーニングモードに設定された場合には、表示部１０５の表示を停止し、操作部１０３の操作を受け付けないようにした。そして、クリーニングモード中に操作部１０３が操作された場合には、表示部１０５の表示を開始して、クリーニングモード中であることを示すメッセージを表示するようにした。これによって、表示部１０５の表示が必要ないときは表示部１０５への表示を停止することで、バッテリーの消費を抑えることができる。また、操作部１０３が操作された場合には、メッセージを表示することで、使用者が、カメラ１００のバッテリーが切れている、あるいは故障していると勘違いすることを防止することができる。
【００２９】
（２）表示部１０５にメッセージを表示した後、所定時間経過後に表示部１０５の表示を停止する。あるいは、使用者によって禁止操作が再度行われたときに、表示部１０５の表示を停止するようにした。これによって、表示部１０５への表示を継続させないようにして、バッテリーの消費を防止することができる。
【００３０】
―変形例―
なお、上述した実施の形態のカメラは、以下のように変形することもできる。
（１）上述した実施の形態では、モード設定部１０４ａが、クリーニングモードに応じた動作を開始したときに、その動作の開始に応じて表示制御部１０４ｂが表示部１０５への表示を停止し、モード設定部１０４ａが操作部１０３の操作を禁止する場合について説明した。しかしながら、クリーニングモードに設定された場合に限定されず、使用者による操作を受け付けて、操作内容に応じた動作を開始するときに、その動作が表示部１０５への表示が必要ない動作であり、操作部１０３の操作を禁止する必要がある場合に、その動作の開始に応じて表示制御部１０４ｂが表示部１０５への表示を停止し、モード設定部１０４ａが操作部１０３の操作を禁止するようにしてもよい。例えば、カメラ１００が長時間露出を行っている場合には、その動作中は、表示部１０５への表示が必要なく、操作部１０３の操作を禁止する必要があることから、上述したクリーニングモード動作中と同様の処理を実行すればよい。
【００３１】
（２）また、開始された動作が、表示部１０５への表示が必要ない動作ではあるが、操作部１０３の操作を禁止する必要がない動作である場合には、操作部１０３の操作を受け付けたまま、表示制御部１０４ｂによる制御のみを行ってもよい。例えば、カメラ１００をパソコンに接続しているときに、カメラ１００で撮影した画像をすぐにパソコンへ転送してパソコンのモニタ上で確認する場合について考える。この場合、カメラ１００側で、画像を撮影するためのレリーズ操作や、撮影条件を設定するためのメニュー操作が必要になるが、画像の確認はパソコンのモニタ上で行うため、表示部１０５への表示は必要ない。したがって、この場合には、パソコン接続動作が開始された場合には、表示制御部１０４ｂは、表示部１０５への表示を停止すればよい。
【００３２】
（３）上述した実施の形態の図４および図５に示した画面の具体例については、これに限定されず、異なるＧＵＩ画面であってもよい。また、上述した実施の形態では、使用者がレリーズＳＷ２ｂを操作することによってクリーニングモードの動作を開始する例について説明したが、その他の操作によってクリーニングモードの動作を開始してもよい。同様に、使用者がカメラの電源をオフすることによってクリーニングモードを終了する例について説明したが、その他の操作によってクリーニングモードを終了してもよい。
【００３３】
（４）上述した実施の形態では、図１に示すブロック図には、本発明を実現する上で必要となる構成要素を中心に示したが、これに限定されず、カメラ１００は、一般的なカメラが搭載するその他の種々の構成要素を備えてもよい。例えば、フラッシュ装置や測光装置などを備えてもよい。
【００３４】
なお、本発明の特徴的な機能を損なわない限り、本発明は、上述した実施の形態における構成に何ら限定されない。
【図面の簡単な説明】
【００３５】
【図１】カメラの一実施の形態の構成を示すブロック図である。
【図２】カメラを上面から見た場合の具体例を示す図である。
【図３】背面ＴＦＴモニタの具体例を示す第２の図である。
【図４】表示部１０５への表示例を示す第１の図である。
【図５】表示部１０５への表示例を示す第２の図である。
【図６】カメラ１００の処理を示すフローチャート図である。
【符号の説明】
【００３６】
１００  カメラ、１０１  レンズマウント部、１０２  撮像部、１０３  操作部、１０４  制御部、１０４ａ  モード設定部、１０４ｂ  表示制御部、１０５  表示部、１０６  記録媒体格納部
【図１】
2008116824.tif 000003
【図２】
2008116824.tif 000004
【図３】
2008116824.tif 000005
【図４】
2008116824.tif 000006
【図５】
2008116824.tif 000007
【図６】
2008116824.tif 000008